(57)【要約】【課題】机上に設置される表示装置に対する操作用のテンプレートをタッチパネル等の透明部材の下に設置する構成において、コストアップとなることを抑えつつ、多様な学習用コンテンツに対応できるようにする。【解決手段】机１０は、表示装置を天板１１等に設置可能なものであり、操作入力を可能とする操作部３０を天板１１に備え、操作部３０は、表示装置の表示画面に対応する所定のパターンが表されたテンプレート３２と、テンプレート３２に対する操作位置を検出するための操作検出部を有すると共にテンプレート３２の上記所定のパターンを覆うタッチパネル３１と、を有する。天板１１が凹所１１ａを有し、テンプレート３２が天板１１の凹所１１ａの底部に配設され、タッチパネル３１が、テンプレート３２が取り換え可能に天板１１の凹所１１ａに配設されている。【選択図】図３Ａ
2017042506.tif 000002
【特許請求の範囲】
【請求項１】
表示装置を設置可能な机であって、
操作入力を可能とする操作部を天板に備え、
前記操作部は、前記表示装置の表示画面に対応する所定のパターンが表されたテンプレートと、該テンプレートに対する操作位置を検出するための操作検出部を有すると共に前記テンプレートの前記所定のパターンを覆う透明部材と、を有し、
前記天板は、凹所を有し、
前記テンプレートは、前記天板の凹所の底部に配設され、前記透明部材は、前記テンプレートが取り換え可能に前記天板の凹所に配設されていることを特徴とする机。
【請求項２】
前記透明部材は、前記天板の凹所の内部を露出させる開口が形成されるよう前記天板の凹所に配設され、
前記テンプレートは、前記開口を介して挿抜することにより取り換え可能であることを特徴とする請求項１に記載の机。
【請求項３】
前記天板は、前記凹所の底部に前記挿抜の方向に沿って形成された溝を有し、
前記テンプレートは、前記溝に係合する棒状部材を有し、
前記棒状部材と前記溝の係合により前記テンプレートが前記天板の凹所に対して位置合わせされていることを特徴とする請求項２に記載の机。
【請求項４】
前記天板の凹所は、前記開口側に傾斜面を有することを特徴とする請求項３に記載の机。
【請求項５】
前記透明部材は、端部を軸に回動可能に前記天板の凹所に配設されていることを特徴とする請求項１に記載の机。
【請求項６】
柱状部材と該柱状部材の形状に対応した形状に形成された有底または無底の孔とを有し、
前記柱状部材及び前記孔のいずれか一方が前記天板に形成され他方が前記テンプレートに形成され、
前記柱状部材と前記孔との係合により前記テンプレートが前記天板の凹所に対して位置合わせされていることを特徴とする請求項５に記載の机。
【請求項７】
表示装置が設置された表示装置付机であって、
操作入力を可能とする操作部を天板に備え、
前記操作部は、前記表示装置の表示画面に対応する所定のパターンが表されたテンプレートと、該テンプレートに対する操作位置を検出するための操作検出部を有すると共に該テンプレートの前記所定のパターンを覆う透明部材と、を有し、
前記天板は、凹所を有し、
前記テンプレートは、前記天板の凹所の底部に配設され、前記透明部材は、前記テンプレートが取り換え可能に前記天板の凹所に配設されていることを特徴とする表示装置付机。
【発明の詳細な説明】
【技術分野】
【０００１】
本発明は、机に関し、より詳細には、机上面に対して設置される表示装置と共に用いられる机及び表示装置付机に関する。
【背景技術】
【０００２】
教育環境自体のＩＴ（Information Technology）化として、タブレット等の情報端末の１人１台配備、学校の高速ブロードバンド接続、電子黒板、無線ＬＡＮ（Local Area Network）環境整備、デジタル教科書・教材の活用等、初等教育段階から教育環境自体のＩＴ化を進め、児童生徒等の学力の向上とＩＴリテラシーの向上を図る、との政府案が検討されている。これらの取り組みにより、２０１０年代中には、全ての小学校、中学校、高等学校、特別支援学校で教育環境のＩＴ化を実現するものとされている。
学習環境を整える学習用の机に関して、例えば机に設置した表示装置に教材等の画像を適宜表示させながら学習を行うようにすることが考えられる。
【０００３】
なお、特許文献１には、学習机に係り、既存机の再利用を簡単に行うこと等を目的として、机の天板と略同じ大きさを備えた冠板本体と、該冠板本体の下面に窪設されて机の天板に嵌合し得る窪所と、から構成された机用冠板が開示されている。
【０００４】
また、特許文献２には、天板上の後部に机上棚を載置した学習机に使用するデスクマットであって、天板上への敷設する際の位置決めを容易にするために、デスクマットの両側後部に机上棚の両側板を受け入れる切欠部を有しているものが開示されている。
【先行技術文献】
【特許文献】
【０００５】
【特許文献１】特開平９−６５９３５号公報
【特許文献２】特開２００６−５５４９６号公報
【発明の概要】
【発明が解決しようとする課題】
【０００６】
上記のように、学校においては、教育環境のＩＴ化を実現する取組みが行われているが、家庭における子供の学習環境については、ＩＴ化が進んでいるとは言えないのが実情である。例えば、家庭では、ノートＰＣ（ノート型パーソナルコンピュータ）やタブレット端末を単純に学習に使用することは行われているが、学習机において端末を効率的に使用することができていない。
【０００７】
例えば学習机に表示装置を設置した場合、表示装置の画像を見ながら学習を行うためには、ユーザは、表示された画像に対して操作入力を行って、適宜学習を進める必要が生じる。この場合、表示装置に表示したユーザインタフェースにタッチ操作を行って、学習を進めることが考えられるが、通常、学習机にユーザが座った位置の反対側端部に表示装置を設置した学習机の場合には、表示装置の表示面まで手が届かない場合もあり、手が届いても操作しにくい、という問題が生じる。
【０００８】
そこで表示装置の表示画面に表示されたユーザインタフェースを簡便でかつ直感的に操作できる構成が求められる。このためには、机上にタッチパネルを設け、表示装置の表示画面の座標位置とタッチパネルの座標位置とを関連付けることにより、机上のタッチパネルによる操作が可能となる。この場合、表示画面と同じモニタを机上に取り付け、モニタ上に例えば静電容量方式のタッチパネルを設け、表示装置の表示画面と同じ画面をモニタに表示させることで、タッチ操作が可能となる。しかしながら、この場合、机上にも別のモニタを設けなければならず、構成が複雑になりコストアップの要因となる。
【０００９】
このような問題を解消するために、タッチパネルのみを机上に設け、そのタッチパネルの下に画面操作用のテンプレートを設置することが考えられる。テンプレートには、キー表示や各種ボタン類などの選択要素を予め印刷しておき、そのテンプレートに合わせて表示装置にユーザインタフェースを表示させる。ユーザがタッチパネルの特定の位置をタッチすると、その座標に対応したユーザインタフェースの位置がタッチ操作されたものとして制御することで、机上のタッチパネルを用いた直感的な操作を行うことができる。
【００１０】
また、タッチパネル以外にもデジタルペンによるタッチ入力操作が可能なシステムが知られている。このデジタルペンは、場所により異なるパターンのドットが紙面に配置され、デジタルペンに内蔵されたカメラがそのドットパターンを撮影する。そして撮影したドットパターンをデジタルペンが内蔵しているプロセッサが処理して、座標位置が計算される。この座標位置を表示装置に送るようにする。デジタルペンを入力するためのドットパターンを印刷した紙には、画面操作用のテンプレートを予め印刷しておき、そのテンプレートに合わせて表示装置にユーザインタフェースを表示させる。ドットパターンを印刷した紙の表面に対しては、紙を保護するためのガラスやアクリルなどの透明プレートを配置する。あるいはドットパターンを透明プレートの方に印刷するようにしてもよい。
そしてデジタルペンのタッチ位置に応じて、そのドットパターンから計算した座標に対応したユーザインタフェースの位置がタッチ操作されたものとして制御する。これにより、机上のドットパターンとデジタルペンを用いた直感的な操作を行うことができる。
【００１１】
上記のように、机上にタッチパネルやデジタルペン操作用の透明プレートを配置する場合、ユーザは手元で直観的な操作を行うことができる。しかし、この場合、テンプレートを交換するのは困難であるため、１つの汎用テンプレートを作成してタッチパネルや透明プレートの下に設置するか、または、机上の表示装置とは別に表示装置をタッチパネルや透明プレートの下に設置し、該別の表示装置に場面に応じた各種操作用テンプレートを表示する必要がある。そのため、多様な学習用コンテンツに対応できず、また、コストアップの要因となる、という課題が生じる。
【００１２】
上記特許文献１の学習机は、既存のものを再利用するために天板に冠板を被せるようにしている。また、特許文献２の学習机は、天板上に敷設するデスクマットに位置決めのための切欠部を有している。しかしながら、特許文献１および特許文献２のいずれにおいても、コストアップとなることを抑えつつ、多様な学習用のコンテンツに対応できるようにすることについては何ら言及されていない。
【００１３】
本発明は、上述のごとき実情に鑑みてなされたものであり、机上に設置される表示装置に対する操作用のテンプレートをタッチパネル等の透明部材の下に設置する構成において、コストアップとなることを抑えつつ、多様な学習用コンテンツに対応できる机及び表示装置付机を提供することを目的とする。
【課題を解決するための手段】
【００１４】
上記課題を解決するために、本発明の第１の技術手段は、表示装置を設置可能な机であって、操作入力を可能とする操作部を天板に備え、前記操作部は、前記表示装置の表示画面に対応する所定のパターンが表されたテンプレートと、該テンプレートに対する操作位置を検出するための操作検出部を有すると共に前記テンプレートの前記所定のパターンを覆う透明部材と、を有し、前記天板が、凹所を有し、前記テンプレートが、前記天板の凹所の底部に配設され、前記透明部材が、前記テンプレートが取り換え可能に前記天板の凹所に配設されていることを特徴としたものである。
【００１５】
第２の技術手段は、第１の技術手段において、前記透明部材が、前記天板の凹所の内部を露出させる開口が形成されるよう前記天板の凹所に配設され、前記テンプレートが、前記開口を介して挿抜することにより取り換え可能であることを特徴としたものである。
【００１６】
第３の技術手段は、第２の技術手段において、前記天板が、前記凹所の底部に前記挿抜の方向に沿って形成された溝を有し、前記テンプレートが、前記溝に係合する棒状部材を有し、前記棒状部材と前記溝の係合により前記テンプレートが前記天板の凹所に対して位置合わせされていることを特徴としたものである。
【００１７】
第４の技術手段は、第３の技術手段において、前記天板の凹所が、前記開口側に傾斜面を有することを特徴としたものである。
【００１８】
第５の技術手段は、第１の技術手段において、前記透明部材が、端部を軸に回動可能に前記天板の凹所に配設されていることを特徴としたものである。
【００１９】
第６の技術手段は、第５の技術手段において、柱状部材と該柱状部材の形状に対応した形状に形成された有底または無底の孔とを有し、前記柱状部材及び前記孔のいずれか一方が前記天板に形成され他方が前記テンプレートに形成され、前記柱状部材と前記孔との係合により前記テンプレートが前記天板の凹所に対して位置合わせされていることを特徴としたものである。
【００２０】
本発明の第７の技術手段は、表示装置が設置された表示装置付机であって、操作入力を可能とする操作部を天板に備え、前記操作部は、前記表示装置の表示画面に対応する所定のパターンが表されたテンプレートと、該テンプレートに対する操作位置を検出するための操作検出部を有すると共に該テンプレートの前記所定のパターンを覆う透明部材と、を有し、前記天板が、凹所を有し、前記テンプレートが、前記天板の凹所の底部に配設され、前記透明部材が、前記テンプレートが取り換え可能に前記天板の凹所に配設されていることを特徴としたものである。
【発明の効果】
【００２１】
本発明によれば、机上に設置される表示装置に対する操作用のテンプレートをタッチパネル等の透明部材の下に設置する構成において、コストアップとなることを抑えつつ、多様な学習用コンテンツに対応できる机及び表示装置付机を提供することができる。
【図面の簡単な説明】
【００２２】
【図１Ａ】本発明の実施形態に係る表示装置付机の外観構成例を概略的に示す図である。
【図１Ｂ】本発明の実施形態に係る表示装置付机の外観構成の他の例を概略的に示す図である。
【図２】テンプレートの構成の一例を概略的に示すものである。
【図３Ａ】図１Ａの机の要部断面図である。
【図３Ｂ】図１Ａの机の天板にテンプレートを取り付ける様子を示す斜視図である。
【図３Ｃ】図１Ａの机の天板にテンプレートを取り付ける様子を示す断面図である。
【図４】本発明の第１の実施形態に係る机の別の例を概略的に示す図である。
【図５Ａ】本発明の第２の実施形態に係る机の一構成例におけるテンプレートの着脱方法を示す斜視図である。
【図５Ｂ】本発明の第２の実施形態に係る机の一構成例におけるテンプレートの着脱方法を示す断面図である。
【図６】本発明の第２の実施形態に係る机の他の構成例を概略的に示す斜視図である。
【図７Ａ】本発明の第３の実施形態に係る机の構成例を説明するための図である。
【図７Ｂ】本発明の第３の実施形態に係る机の構成例を説明するための図である。
【図７Ｃ】本発明の第３の実施形態に係る机の構成例を説明するための図である。
【図８Ａ】本発明の第４の実施形態に係る机の構成例を説明するための図である。
【図８Ｂ】本発明の第４の実施形態に係る机の構成例を説明するための図である。
【図９】本発明の第４の実施形態に係る机の他の構成例を説明するための図である。
【図１０】本発明の第５の実施形態に係る机の構成例を説明するための図である。
【発明を実施するための形態】
【００２３】
以下、図面を参照しながら、本発明の机及び表示装置付机の好適な実施形態について説明する。なお、以下の発明において、異なる図面においても同じ符号を付した構成は同様のものであるとして、その説明を省略する場合がある。
【００２４】
（第１の実施形態）
図１Ａ及び図１Ｂは、本発明の第１の実施形態に係る表示装置付机の外観構成例を概略的に示す図である。
表示装置付机１は、学習用の机すなわち学習机である机１０と、薄型の表示装置２０とが組み合わされて構成されている。表示装置２０は、ＦＰＤ（Flat Panel Display）を用いた薄型の表示装置で、例えば液晶表示パネルを使用した液晶表示装置として構成される。
【００２５】
表示装置２０は、机１０の天板１１の一方の端部に、表示装置２０の表示画面２１を天板１１の反対側の端部に向けて、天板１１の表面に対して垂直に設置されている。ユーザは、通常、表示装置付机１の前面に座して、表示装置２０の表示画面２１を見ながら、机１０の天板１１を利用して学習等の作業を行うことができる。この例では、表示装置２０は、天板１１に対して垂直になるように設置されているが、この構成に限定されることなく、表示装置２０が天板１１に対して斜めになるように配置されていてもよい。また、表示装置２０と天板１１との角度が変更可能なチルト機構を設けて、適宜天板１１と表示装置２０との角度を設定できるようにしてもよい。
【００２６】
机１０の天板１１には、ユーザ操作用の操作部３０が設けられている。操作部３０は、操作用のテンプレート（後述の図３Ａの符号３２参照）と、その表面／印刷面に設けたタッチパネル３１からなっている。これに代えて、操作部３０は、デジタルペンによる操作用のドットパターンが印刷されたガラスやアクリル板などの保護用の透明プレートを操作用のテンプレートの表面に設置した構成からなっていてもよい。タッチパネル３１と上述の透明プレートはそれぞれ本発明の「透明部材」を構成する。また、タッチパネル３１の静電容量方式のセンサや、上記透明プレートのドットパターンはそれぞれテンプレート３２に対するユーザの操作位置を検出するための本発明の「操作検出部」を構成する。図１Ａでは操作部３０が天板１１の略中央に設けられた例を示し、図１Ｂは、操作部３０を操作部３０が天板１１の側部に設けられた例を示している。
【００２７】
図２は、テンプレートの構成の一例を概略的に示すものである。テンプレート３２には、例えばキーボードやボタン類等が予め印刷されている。そしてテンプレート３２に応じたユーザインタフェースが表示装置２０の表示画面２１に表示される。言い換えると、テンプレート３２には表示装置２０の表示画面２１に対応する所定のパターンが予め印刷等により表されている。テンプレート３２上には、例えばタッチパネル３１が設けられていて、タッチパネル３１にタッチしたときの座標位置と、ユーザインタフェースの座標位置が対応し、表示装置２０では、タッチパネル３１にタッチした座標位置に従って処理を行うことができる。
デジタルペンによる操作も同様であり、デジタルペンに内蔵されたカメラがそのドットパターンを撮影し、撮影したドットパターンをデジタルペンが内蔵しているプロセッサが処理して、座標位置が計算される。この座標位置を表示装置２０に送り、座標位置に応じた処理を表示装置２０で行うことができる。
【００２８】
ユーザは、通常、表示装置付机１の正面に座って表示画面２１を視認し、天板１１を使って学習等の作業を行う。そして操作部３０を操作しながら表示画面２１の表示画面に対する操作入力を行うことができる。
学習するコンテンツが異なれば、操作部３０に必要なテンプレート３２も異なってくる。そのため、テンプレート３２を取り換えができるように、机１０は以下のような構成を採用している。
【００２９】
図３Ａは、図１Ａの机１０の要部断面図、図３Ｂ及び図３Ｃはそれぞれ図１Ａの机１０の天板１１にテンプレート３２を取り付ける様子を示す斜視図及び断面図である。
操作部３１は天板１１の中央に設けられ、図３Ａに示すように、天板１１は凹所１１ａを有する。テンプレート３２は、該凹所１１ａの底部に配設される。タッチパネル３１は、テンプレート３２の印刷面である上面を覆い、より具体的には、テンプレート３２の操作用の所定のパターンを覆い保護するように天板１１の凹所１１ａに配設される。
【００３０】
このようにタッチパネル３１に覆われる形態であってもテンプレート３２の取り換えができるように、机１０において、タッチパネル３１は、図３Ｂ及び図３Ｃに示すように、天板１１の凹所１１ａの底部との間にテンプレート３２の厚み以上の高さを有する空間が形成されると共に天板１１の凹所１１ａの内部を露出させる開口１１ｂが形成されるよう天板１１の凹所１１ａに配設される。そして、テンプレート３２は開口１１ｂを介して挿抜することにより取り換え可能になっている。
【００３１】
なお、テンプレート３２の抜き出しが容易となるように、テンプレート３２の後端の両側端に舌片である取り出し用ベロ３２ａが設けられている。取り出し用ベロ３２ａの位置は、図の例に限定されず、テンプレート３２が天板１１に取り付けられた状態において開口１１ｂから露出する位置であればよい。また、取り出し用ベロ３２ａの数は図の例の２つに限定されず、１つであってもよいし、３以上であってもよい。
【００３２】
さらに、机１０には、開口１１ｂを塞ぐ蓋部材１２を有する。蓋部材１２を設けることにより凹所１１ａ内に異物が入るのを防ぐことができる。凹所１１ａ内に異物があるとテンプレート３２を所望の位置に配設することができないため、ユーザの意図とは異なる操作入力がされる虞があるが、蓋部材１２によりこれを防ぐことができる。
【００３３】
図４は、本発明の第１の実施形態に係る机の他の例を概略的に示す図である。表示装置２０が設置される側を奥側、その反対側を手前側とした場合、図３Ｂ等の例では、凹所１１ａの奥側の端部に対して開口１１ｂが形成されていた。図４では、奥側でも手前側でもない凹所１１ａの側端部に対して開口１１ｂが形成されている。このように、側端部に設けることによって、表示装置２０を机１０から取り外さなくても容易にテンプレート３２を取り換えることができる。なお、天板１１の奥側はユーザの手が届かないため、図３Ｂ等の例のように開口１１ｂを奥側に設けることで、天板１１の天面を有効に活用することができる。
【００３４】
（第２の実施形態）
図５Ａは、本発明の第２の実施形態に係る机の一構成例におけるテンプレートの着脱方法を示す斜視図、図５Ｂは同断面図である。
図５Ａ及び図５Ｂの机では、タッチパネル４１が、その一側端部を軸に回動可能に天板１１の凹所１１ａに配設されている。このような構成を採用することによりテンプレート４２の取り換えが可能になっている。
【００３５】
図のテンプレート４２は、図３Ａ等のテンプレート３２と異なり、取り出し用ベロ３２ａを有していないが、該ベロを設けてもよい。
なお、タッチパネル４１に対する電気的な配線は、タッチパネル４１の回動軸側端部に設けることが好ましい。
【００３６】
図６は、本発明の第２の実施形態に係る机の他の構成例を概略的に示す斜視図である。
図５Ａ等の例では、操作部を構成するタッチパネル４１及びテンプレート４２が配設される凹所１１ａが天板１１の略中央に設けられていた。それに対し、図６の例では、該凹所１１ａが天板１１の側部に設けられ、該凹所１１ａに対し、テンプレート４２が着脱できるようにタッチパネル４１がその一側端部を軸に回動可能に配設されている。
【００３７】
（第３の実施形態）
図７Ａ〜図７Ｃは、本発明の第３の実施形態に係る机の構成例を説明するための図である。
図３Ａ等の例では、天板１１に設けられた開口１１ｂを蓋部材１２で塞いでいた。それに対し、図７Ａ〜図７Ｃの例の机では、開口１１ｂの幅より長い幅を有すると共に開口１１ｂの奥行きより大きい厚みを有する表示装置２０により、開口１１ｂを塞いでいる。このような構成とすることにより、蓋部材１２を省略することができるのでコストを削減することができる。
【００３８】
（第４の実施形態）
図８Ａ及び図８Ｂは本発明の第４の実施形態に係る机の構成例を説明するための図である。
本発明に係る机において、操作検出部を有するタッチパネルに対するテンプレートの位置が一定となるように、天板の凹所に対して位置合わせ／位置決めされて取り付けられる必要がある。
【００３９】
そこで、図８Ａ及び図８Ｂの机では、天板５０の凹所５０ａの底部の両側部に、テンプレート６０の挿抜方向に沿って延在する溝５０ｃが設けられており、また、テンプレート６０の両側部には、該テンプレート６０の挿抜方向に沿って延在する棒状部材であるレール６０ａが設けられている。
【００４０】
テンプレート６０を天板５０の開口５０ｂを介して天板５０の凹所５０ａに挿入し取り付けると、溝５０ｃとレール６０ａとの係合により、挿抜方向と垂直な方向に係るテンプレート６０の凹所５０ａに対する位置決めがなされるため、テンプレート６０をタッチパネル３１に対して正確な位置に取り付けることができる。なお、挿抜方向に係るテンプレート６０の凹所５０ａに対する位置決めは、例えば、溝５０ｃの手前側端部とレール６０ａの手前側端部の当接によりなされる。
【００４１】
テンプレート６０にレール６０ａを設けることにより、テンプレート６０の可撓性が低くなるため、開口５０ｂを介した凹所５０ａへのテンプレート６０の挿抜性が低くなる。したがって、凹所５０ａの開口５０ｂ側の端部に、該開口５０ｂが凹所５０ａの底面から徐々に大きくなるような形状の傾斜面５０ｄを設け、開口５０ｂを介したテンプレート６０の挿抜を容易とすることが好ましい。
【００４２】
図９は、本発明の第４の実施形態に係る机の他の構成例を概略的に示す図である。図８Ａ等の例では、凹所５０ａの奥側の端部に対して開口５０ｂが形成されていた。それに対し、図９の机では、凹所５０ａの側端部に対して開口５０ｂが形成されている。この場合においても、凹所５０ａの奥側と手前側に溝５０ｃを設け、テンプレート６０の溝５０ｃに対応する位置にレール６０ａを設けることで、図８Ａ等の例と同様にテンプレート６０の凹所５０ａに対して位置決めして取り付けることができる。
【００４３】
なお、図８Ａや図９の例における開口５０ｂは、図３Ａ等の例のように開口５０ｂの形状に対応した形状を有する蓋部材により塞がれ、あるいは、図７Ａ等の例のように表示装置により塞がれる。
図８Ａや図９の例では、２箇所に凹所５０ａとレール６０ａを設けていたが１箇所であってもよい。
【００４４】
図１０は、本発明の第５の実施形態に係る机の構成例を説明するための図である。
図１０の机では、天板７０の凹所７０ａの底部の四隅に、底部から上方に突出する柱状部材７０ｂが設けられている。また、テンプレート８０の柱状部材７０ｂに対応する位置に、該柱状部材７０ｂと対応した形状に形成された孔８０ａが形成されている。テンプレート８０は通常薄いため孔８０ａは無底のものを想定しているが、有底であってもよい。これら柱状部材７０ｂと孔８０ａとの係合により、テンプレート８０の凹所７０ａに対する位置決めであって該凹所７０ａの底面平面内での位置決めを行うことができる。
【００４５】
本例のような構成は、第２の実施形態のようにタッチパネルが天板の凹所に回動可能に配設されている形態に好適に用いられる。本例のような構成は、第１の実施形態のように開口を介してタッチパネルの下部にテンプレートを挿入する形態に用いることは可能であるが、異物が入らないようテンプレートの挿入空間はテンプレートと略同じ大きさに形成されていることやそのような空間に対する挿抜性を鑑みると、第１の実施形態のような場合は図８Ａ等の例のように挿抜方向に沿って形成された溝とレールにより位置決めを行なうことが好ましい。
【００４６】
なお、図１０の例とは異なり、天板の凹所の底部に孔を設け、テンプレート側に柱状部材を設けるようにしてもよい。この場合、テンプレート側に孔を設ける場合に比べて印刷面を広くすることができる。
また、図１０の例では、柱状部材７０ｂ等は４つ設けられていたが、設ける数は２以上であればよい。さらに、柱状部材７０ｂ等の形成位置は四隅に限られず他の位置であってもよい。
【符号の説明】
【００４７】
１…表示装置付机，１０…机、１１ａ，５０ａ，７０ａ…凹所、１１，５０，７０…天板、１１ｂ，５０ｂ…開口、１２…蓋部材、２０…表示装置、３０…操作部，３１…タッチパネル、３２ａ…取り出し用ベロ、３２，４２，６０…テンプレート、４１…タッチパネル、５０ｃ…溝、５０ｄ…傾斜面、６０ａ…レール、７０ｂ…柱状部材、８０…テンプレート、８０ａ…孔。
【図１Ａ】
2017042506.tif 000003
【図１Ｂ】
2017042506.tif 000004
【図２】
2017042506.tif 000005
【図３Ａ】
2017042506.tif 000006
【図３Ｂ】
2017042506.tif 000007
【図３Ｃ】
2017042506.tif 000008
【図４】
2017042506.tif 000009
【図５Ａ】
2017042506.tif 000010
【図５Ｂ】
2017042506.tif 000011
【図６】
2017042506.tif 000012
【図７Ａ】
2017042506.tif 000013
【図７Ｂ】
2017042506.tif 000014
【図７Ｃ】
2017042506.tif 000015
【図８Ａ】
2017042506.tif 000016
【図８Ｂ】
2017042506.tif 000017
【図９】
2017042506.tif 000018
【図１０】
2017042506.tif 000019